(57)【特許請求の範囲】
【請求項１】
シェル（１）と、前記シェル（１）内に配置され、一端が前記シェル（１）側に固着され、他端がキャツプ（５）により塞がれることにより、前記シェル（１）を気体室（２）と液体室（３）とに分離している金属材製ベローズ（４）と、前記液体室（３）内に液体を導入する導入孔（６）を取り囲む様に配置され、前記金属材製ベローズ（４）の収縮限度を規定するオイルポート（８）と、前記オイルポート（８）端面に配置され、前記キャツプ（５）と接することにより、前記液体室（３）と前記導入孔（６）との間をシールする弾性材製環状シール部材（７）とよりなる金属ベローズ式アキュムレータにおいて、前記シール部材（７）のリップ部（７１）の内周側に設けた環状溝（７２）内にバックアップリング（７５）が挟持され、前記キャップ（５）が前記リップ部（７１）に接した後、前記シール部材（７）に前記液体室（３）側からの液体圧が作用することにより、前記バックアップリング（７５）が前記キャップ（５）に当接する様に押し出されることを特徴とする金属ベローズ式アキュムレータ。
【請求項２】
前記バックアップリング（７５）の前記環状溝（７２）の底部（７３）側に膨らみ部（７６）を設けたことを特徴とする請求項１記載の金属ベローズ式アキュムレータ。
【請求項３】
前記膨らみ部（７６）が断面円弧形状であることを特徴とする請求項２記載の金属ベローズ式アキュムレータ。
【請求項４】
前記バックアップリング（７５）は、前記バックアップリング（７５）の前記キャップ（５）側であって、かつ外周側に、前記リップ部（７１）の傾斜面に沿う形で環状突起（７７）を有することを特徴とする請求項１〜３のいずれか一項に記載の金属ベローズ式アキュムレータ。
【請求項５】
前記シール部材（７）の外周側には、前記液体室（３）側の液体圧により前記リップ部（７１）が前記キャップ（５）側に押圧されることを助けるスグリ部（７４）が設けられていることを特徴とする請求項１〜４のいずれか一項に記載の金属ベローズ式アキュムレータ。
【請求項６】
前記バックアップリング（７５）は、自由状態において、前記リップ部（７１）よりも前記キャップ（５）側に突出していないことを特徴とする請求項１〜６のいずれか一項に記載の金属ベローズ式アキュムレータ。
【発明の詳細な説明】
【技術分野】
【０００１】
本発明は、金属ベローズ式アキュムレータに関する。
また、本発明は、シェル内の容積可変の気体室を金属ベローズにて区画し、作動液を蓄圧する金属ベローズ式アキュムレータに関する。
更に、本発明は、液圧を用いる車両等の制御装置、例えば、アンチロックブレーキ装置の油圧源の作動液を高圧に蓄圧しておくのに有用な金属ベローズ式アキュムレータに関する。
【背景技術】
【０００２】
従来、図６乃至図８に示す金属ベローズ式アキュムレータが知られている。
この種金属ベローズ式アキュムレータは、金属材製のシェル１０内には金属材製ベローズ４０が配置されている。
【０００３】
この金属材製ベローズ４０の一端はシェル１０内に設けた環状のフランジ部１００に溶接一体化されている。
一方、金属材製ベローズ４０の他端は、キャップ５０が溶接固定されることにより塞がれている。
【０００４】
この結果、シェル１０内は、気体室２０と液体室３０とに仕切られる。
気体室２０には、図上上方に位置する注入孔１１０から窒素ガス、不活性ガス等が封入されている。注入孔１１０は気体を封入後、ガスプラグ１２０により塞がれる。
この結果、気体室２０には所定圧力のガスが封入される。
【０００５】
一方、液体室３０には、図上下方に位置する、液体を導入する導入孔６０が連通している。
この導入孔６０を介して、外部の作動流体を液体室３０に導いている。
また、この導入孔６０のシェル１０内側には、導入孔６０を囲む様に弾性材製環状シール部材７０が配置されている。
【０００６】
このシール部材７０は、ガス圧よりも作動流体の圧力が大幅に減少した場合、ベローズが過度に収縮することを防止するため、キャップ５０と密封接触する。
このことにより、液体室３０内の液体と導入孔６０側の液体とを遮断している。
一方、金属材製ベローズ４０の径方向振れの抑制および金属材製ベローズ４０の伸張・収縮作動時における前記シェル１０内の軸方向をガイドするために、キャップ５０には制振リング９０が保持されている。
【０００７】
そして、従来のシール部材７０は、図７に示す様に、そのリップ部７１０がキャップ５０に接すると、液体室３０側の液体圧が逃げ場を失うため、リップ部７１０が導入孔６０側に押し出される作用を受ける。
【０００８】
この結果、図８に示す様に、リップ部７１０の先端がオイルポート８０の内周側端部とキャップ５０との間隙８１に挟み込まれる形に変形する。
このため、更にキャップ５０がオイルポート８０側に降下すると、リップ部７１０が損傷するという問題を惹起した。
【０００９】
【特許文献１】特開２００７−１８７２２９号公報
【特許文献２】特開２０００−３５６２０１号公報
【特許文献３】特開２００７−２１８３５２号公報
【発明の開示】
【発明が解決しようとする課題】
【００１０】
本発明は、このような課題に鑑みてなされたものであり、金属材製ベローズが収縮した０ダウン状態において、キャップとオイルポートとの間隙にシール部材のリップ部が挟み込まれることを回避し、シール部材の耐久性を向上させた金属ベローズ式アキュムレータを提供することを目的とする。
【課題を解決するための手段】
【００１１】
本発明の金属ベローズ式アキュムレータは、シェルと、前記シェル内に配置され、一端が前記シェル側に固着され、他端がキャップにより塞がれることにより、前記シェルを気体室と液体室とに分離している金属材製ベローズと、前記液体室内に液体を導入する導入孔を取り囲む様に配置され、前記金属材製ベローズの収縮限度を規定するオイルポートと、前記オイルポート端面に配置され、前記キャップと接することにより、前記液体室と前記導入孔との間をシールする弾性材製環状シール部材とよりなる金属ベローズ式アキュムレータにおいて、前記シール部材のリップ部の内周側に設けた環状溝内にバックアップリングが挟持され、前記キャップが前記リップ部に接した後、前記シール部材に前記液体室側からの液体圧が作用することにより、前記バックアップリングが前記キャップに当接する様に押し出される構成とした。
【発明の効果】
【００１２】
本発明は、以下に記載されるような効果を奏する。
請求項１記載の発明の金属ベローズ式アキュムレータによれば、金属材製ベローズが収縮した０ダウン状態において、キャップとオイルポートとの間隙にシール部材のリップ部が挟み込まれることを回避し、シール部材の耐久性を向上させることが出来る。
また、請求項２記載の発明の金属ベローズ式アキュムレータによれば、シール部材の環状溝から押し出されたバックアップリングが、元の位置に戻り易い。
更に、請求項３記載の発明の金属ベローズ式アキュムレータによれば、環状溝内でのバックアップリングの移動が円滑に行うことができる。
【００１３】
更に、請求項４記載の発明の金属ベローズ式アキュムレータによれば、シール部材に加わる液体圧を、バックアップリングをキャップ側へ移動させる力に、効率的に変換が可能である。
また更に、請求項５記載の発明の金属ベローズ式アキュムレータによれば、リップ部が液体圧によりキャップ側に押圧されることを助長するために、金属材製ベローズが収縮した０ダウン状態において、液体室側の液体が導入孔側に漏洩することを確実に阻止できる。
【００１４】
また、請求項６記載の発明の金属ベローズ式アキュムレータによれば、バックアップリングの存在により、シール部材のシール性能が阻害されることはない。
【発明を実施するための最良の形態】
【００１５】
以下、本発明を実施するための最良の形態について説明する。
本発明に係る金属ベローズ式アキュムレータを、図１乃至図５に基づいて説明する。
図１は、本発明に係る金属ベローズ式アキュムレータの縦断面図である。
図２は、図１の部分拡大図である。
図３は、図２のバックアップリングが移動した状態を示した図である。
図４は、本発明に係る他の実施例を示す部分拡大図である。
図５は、図４のバックアップリングが移動した状態を示した図である。
【００１６】
図１及び図２において、金属材製のシェル１は、カップ形状の本体１２と、本体１２の図上下方を塞いでいる流体の導入孔６を設けたオイルポート８とより構成されている。
そして、オイルポート８は、そのフランジ部１０が本体１２と溶接により一体化されている。
【００１７】
一方、シェル１内には金属材製ベローズ４が配置されている。
この種金属材製ベローズ４としては、円周方向に連続した山部と谷部が反復形成された中子の表面にめっき処理により所定の膜圧の金属薄膜を析出させてから前記中子を溶解除去ことにより得られる電着ベローズや、薄肉の金属チューブを塑性加工することにより成形した成形ベローズや、あるいは、内周孔を有する多数の薄肉金属円盤を軸方向に隣接配置してその内周縁および外周縁を交互に溶接した溶接ベローズ等が採用される。
この金属材製ベローズ４の一端はシェル１内に設けた環状のフランジ部１０に溶接一体化されている。
【００１８】
一方、金属材製ベローズ４の他端は、キャップ５が溶接固定されることにより塞がれている。
この結果、シェル１内は、気体室２と液体室３とに仕切られる。
気体室２には、図上上方に位置する注入孔１１から窒素ガス、不活性ガス等が封入されている。
注入孔１１は気体を封入後、ガスプラグ１３により塞がれる。
この結果、気体室２には所定圧力のガスが封入される。
【００１９】
一方、液体室３には、オイルポート８に設けた、液体を導入するための導入孔６が連通している。
この導入孔６を介して、外部の作動流体を液体室３に導いている。
また、この導入孔６のシェル１内側には、導入孔６を囲む様に、オイルポート８の軸方向端部（図上上方）には、弾性材製環状シール部材７が配置されている。
一方、金属材製ベローズ４の径方向振れ径方向振れの抑制および金属材製ベローズ４の伸張・収縮作動時における前記シェル１内の軸方向をガイドするために、キャップ５には制振リング９が保持されている。
【００２０】
そして、本発明に係る制振リング９は、金属材製ベローズ４の谷部４１に嵌め込まれる爪部９１と、キャップ５に設けた環状の鍔部５１に当接する固定部９２とにより、鍔部５１を挟持する形でキャップ５側に保持されている。
また、金属材製ベローズ４とフランジ１０との谷部４１には、制振リング９の爪部９１と同じ材質で、かつ同じ厚みのプロテクションリング１４が嵌め込まれている。
【００２１】
シール部材７の材質としては、ＥＰＤＭ，ＮＢＲ，ＣＲ等のゴム状弾性体、フッ素樹脂、ポリエチレン樹脂等の樹脂状弾性体が、使用される雰囲気により、適宜選択して用いられる。
このシール部材７は、キャップ５がシール部材７のリップ部７１と接した後（ベローズゼロダウン時）液体室３側の液体が導入孔６側へ流出することを効果的に防止できる。
また、リップ部７１が液体圧によりキャップ５側に押圧され易くするために、シール部材７の外周側には、スグリ部７４が設けられている。
【００２２】
また、シール部材７のリップ部７１の内周側に設けた環状溝７２内には、バックアップリング７５が挟持されている。
そして、キャップ５がリップ部７１に接すると、シール部材７全体は、液体室３側の液体の流失を阻止する結果、液体室３側と導入孔６側との間に圧力差が生じ、内周側（導入孔側）に押圧される。
【００２３】
この結果、図３に示す様に、バックアップリング７５が、環状溝７２からキャップ５に当接する様に押し出される。
このため、リップ部７１がキャップ５とオイルポート８の内周側端面との間隙８１に挟み込まれることはない。
また、このバックアップリング７５は、環状溝７２の底部７３側に膨らみ部７６を設けている。
この膨らみ部７６は、断面円弧形状であるため、環状溝内でのバックアップリングの移動が円滑に行うことができるが、三角形状、矩形状等であっても良い。
【００２４】
次に、図４及び図５に基づいて、本発明の他の実施例を説明する。
図２及び図３に示した実施例と相違する点は、バックアップリング７５が、バックアップリング７５のキャップ５側であって、かつ外周側に、リップ部７１の傾斜面に沿う形で環状突起７７を有する点である。
そして、キャップ５がリップ部７１に接すると、シール部材７全体は、液体室３側の液体の流失を阻止する結果、液体室３側と導入孔６側との間に圧力差が生じ、内周側（導入孔側）に押圧されるが、この押圧力を環状突起７７が効率的に受け止めるため、バックアップリング７５のキャップ５側への押し出しを、より円滑に行えるため、図５に示す状態が確実に達成できる。
この環状突起７７の断面形状は三角形状としたが、円弧形状であっても良い。
尚、バックアップリング７５は、自由状態において、リップ部７１よりもキャップ５側に突出していない構成としている。
【００２５】
また、本発明は上述の発明を実施するための最良の形態に限らず本発明の要旨を逸脱することなくその他種々の構成を採り得ることはもちろんである。
【図面の簡単な説明】
【００２６】
【図１】本発明に係る金属ベローズ式アキュムレータの縦断面図である。
【図２】図１の部分拡大図である。
【図３】図２のバックアップリングが移動した状態示した図である。
【図４】本発明に係る他の実施例を示す部分拡大図である。
【図５】図４のバックアップリングが移動した状態示した図である。
【図６】従来技術に係る金属ベローズ式アキュムレータの縦断面図である。
【図７】図６の部分拡大図である。
【図８】図７のリップ部が間隙に挟み込まれた状態を示した図である。
【符号の説明】
【００２７】
１    シェル  
２    気体室
３    液体室
４    金属ベローズ
５    キャップ
６    導入孔
７    シール部材
８    オイルポート
９    制振リング
１０  フランジ部
１１  注入孔
１２  本体
１３  ガスプラグ
１４  プロテクションリング
７１  リップ部
７２  環状溝
７３  底部
７４  スグリ部
７５  バックアップリング
７６  膨らみ部
８１  間隙
【図１】
0005007950.tif 000002
【図２】
0005007950.tif 000003
【図３】
0005007950.tif 000004
【図４】
0005007950.tif 000005
【図５】
0005007950.tif 000006
【図６】
0005007950.tif 000007
【図７】
0005007950.tif 000008
【図８】
0005007950.tif 000009